(57)【特許請求の範囲】
【請求項１】
線条本体（７）の端部に屈曲部（９）を備えた線条の止め金具（６）を収納する線条金具の収納装置において、長方体状の容器本体（２０）と、容器本体（２０）内に出入自在に挿入した一つ又は複数の収納具（２１）とからなり、収納具（２１）を支持板（２２）と、支持板（２２）の両端部近傍側面に起伏自在に設けた一対のストッパ片（２３）（２３）とで構成させ、一方のストッパ片（２３）を起立し、他方のストッパ片（２３）を倒しておき、この状態で上記止め金具（６）の屈曲部（９）を上記倒したストッパ片（２３）を通過させながら上記起立した一方のストッパ片（２３）方向に向けて上記支持板（２２）の外周に挿入させ、所定量の止め金具（６）が挿入された時点で上記倒しておいた他方のストッパ片（２３）を起立させ、次いで両方のストッパ片（２３）（２３）で複数の止め金具（６）を支えながら上記支持板（２２）を上記容器本体（２０）内に挿入させることを特徴とする線条金具の収納装置。
【請求項２】
支持板（２２）の一部にコ字状のスリット（２４）を切り込み、このスリット（２４）を介してストッパ片（２３）を切り起したことを特徴とする請求項１の線条金具の収納装置。
【請求項３】
長尺な母材に任意の間隔を置いて複数のミシン線（２５）を切り込み、ミシン線（２５）を介して切断することにより支持板（２２）を形成させることを特徴とする請求項１又は２の線条金具の収納装置。
【請求項４】
台形状線条本体（１７）の両端部に屈曲部（１８）（１８）を備えた線条の止め金具（１６）を収納する線条金具の収納装置において、長方体状の容器本体（３０）と、容器本体（３０）内に出入自在に挿入した一つ又は複数の収納具（３１）とからなり、収納具（３１）を支持板（３２）と、支持板（３２）の上端に隔設した複数の支持溝（３３）とで構成させ、上記各支持溝（３３）内にそれぞれ複数の上記止め金具（１６）の線条本体（１７）を挿入させた状態で上記支持板（３２）を上記容器本体（３０）内に挿入させることを特徴とする線条金具の収納装置。
【請求項５】
支持板（３２）が水平な底部（３４）とこの底部（３４）の両サイドに起立する一対の板と、各板の上端に隔設した複数の支持溝（３３）とで構成されている請求項４の線条金具の収納装置。
【発明の詳細な説明】
【発明が属する技術分野】
本発明は、ビニールハウスにおけるシート押えひもの端部を定着させる線条金具の収納装置に関する。
【０００１】
【従来の技術】
一般にビニールハウスでは図６に示すように、アーチパイプ等の骨組１に蟻溝フレーム２を架設し、この蟻溝フレーム２内に弾性な係止線条３を介してシート４を定着し、このシート４を骨組１上に展張している。この場合、展張されたシート４は風であおられた時バタ付くため、シート４上にマイカー線と称するひも５を展張し、このひも５でシート４を押え込んでいる。この際、蟻溝フレーム２内に線条の止め金具６を挿入し、この止め金具６の端部にひも５を結着させている。
【０００２】
止め金具６は本体７と、本体７の一端に設けた引掛部８と、他端に設けた屈曲したひも結合部９とで構成されている。
【０００３】
同様に止め金具としては図７に示すものも使用され、この止め金具１６は台形状の本体１７と、本体１７の両サイドに設けた屈曲したひも結合部１８，１８とからなり、本体１７を蟻溝２内に嵌入させ、ひも結合部１８，１８にひも５を結着させている。
【０００４】
【発明が解決しようとする課題】
上記の止め金具６，１６はメーカーで成形され、これをビニールハウスの現場に大量に搬送し、ビニールハウスの組立時において一つ一つ取り出して蟻溝フレーム２内に組付けている。この場合、各止め金具６，１６を搬送する場合には、成形後にメーカーサイドで袋に多量に収容して行なうものである。しかるに、各止め金具６，１６は、細い金属材料を折り曲げて成形しているため、一つの袋内に多量に収容すると、図６の止め金具７では屈曲している引掛部８、ひも結合部９が、同じく図７の止め金具１７ではひも結合部１８が互いにからみ付き、一つ一つ袋内から取り出すのが困難であり、からみ合っている止め金具６，１７を分離させるのも困難であり、作業性が著しく劣るものである。
【０００５】
そこで、本発明の目的は、屈曲している止め金具のような線条金具を多数整列でき、且つ一つ一つスムースに取り出し出来て作業性の向上が図れる線条金具の収納装置を提供することである。
【０００６】
【課題を解決するための手段】
上記の目的を達成するため、本発明の一つの手段は、 線条本体の端部に屈曲部を備えた線条の止め金具を収納する線条金具の収納装置において、長方体状の容器本体と、容器本体内に出入自在に挿入した一つ又は複数の収納具とからなり、収納具を支持板と、支持板の両端部近傍側面に起伏自在に設けた一対のストッパ片とで構成させ、一方のストッパ片を起立し、他方のストッパ片を倒しておき、この状態で上記止め金具の屈曲部を上記倒したストッパ片を通過させながら上記起立した一方のストッパ片方向に向けて上記支持板の外周に挿入させ、所定量の止め金具が挿入された時点で上記倒しておいた他方のストッパ片を起立させ、次いで両方のストッパ片で複数の止め金具を支えながら上記支持板を上記容器本体内に挿入させることを特徴とするものである。
【０００７】
この場合、 支持板の一部にコ字状のスリットを切り込み、このスリットを介してストッパ片を切り起すのが好ましい。
【０００８】
同じく、長尺な母材に任意の間隔を置いて複数のミシン線を切り込み、ミシン線を介して切断することにより支持板を形成させても良い。
【０００９】
同じく、他の手段は、台形状線条本体の両端部に屈曲部を備えた線条の止め金具を収納する線条金具の収納装置において、長方体状の容器本体と、容器本体内に出入自在に挿入した一つ又は複数の収納具とからなり、収納具を支持板と、支持板の上端に隔設した複数の支持溝とで構成させ、上記各支持溝内にそれぞれ複数の上記止め金具の線条本体を挿入させた状態で上記支持板を上記容器本体内に挿入させることを特徴とするものである。
この場合、支持板が水平な底部とこの底部の両サイドに起立する一対の板と、各板の上端に隔設した複数の支持溝とで構成されても良い。
【００１０】
【発明の実施の形態】
以下本発明の実施の形態を図にもとづいて説明する。
図１乃至図３は本発明の一実施の形態を示す。
この線条金具の収納装置は 線条本体７の端部に屈曲部９を備えた線条の止め金具６を収納するものである。
そして、この線条金具の収納装置は、長方体状の容器本体２０と、容器本体２０内に出入自在に挿入した一つ又は複数の収納具２１とからなるものであり、収納具２１を支持板２２と、支持板２２の両端部近傍側面に起伏自在に設けた一対のストッパ片２３、２３とで構成させ、一方のストッパ片２３を起立し、他方のストッパ片２３を倒しておき、この状態で上記止め金具６の屈曲部９を上記倒したストッパ片２３を通過させながら上記起立した一方のストッパ片２３方向に向けて上記支持板２２の外周に挿入させ、所定量の止め金具６が挿入された時点で上記倒しておいた他方のストッパ片２３を起立させ、次いで両方のストッパ片２３、２３で複数の止め金具６を支えながら上記支持板２２を上記容器本体２０内に挿入させるものである。
以下詳細に説明する。
【００１１】
この線条金具の収納装置は図６に示す線条金具たる止め金具６を均一に収納させるものである。即ちこの収納装置Ａは、長方体状の容器本体２０と、容器本体２０内に出入自在に挿入した一つ又は複数の収納具２１とからなり、収納具２１を支持板２２と、支持板２２の両端部近傍側面に起伏自在に設けた一対のストッパ片２３，２３とで構成させている。
【００１２】
容器本体２０は強度のある紙材で成形されて端部に蓋２０ａを備えている。
【００１３】
支持板２２は長細い紙材，木材，樹脂材，金属材からなる板を構成し、支持板２２の一部にコ字状のスリット２４を切り込み、このスリット２４を介してストッパ片２３を切り起している。
【００１４】
支持板２２は単一の板からなっているが、図７に示すように、長尺な母材に任意の間隔を置いて複数のミシン線２５を切り込み、ミシン線２５を介して切断することにより単一の支持板２２を形成させても良い。
【００１５】
支持板２２の端部には肉厚部２２ａを設けた指によるつまみ部として使用するのが好ましい。
【００１６】
線条金具としての止め金具６を支持板２２に整列させる場合、まず一方のストッパ片２３を起立しておき、他方のストッパ片２３を倒しておく。この状態で図２に示すように、止め金具６における屈曲部９たるひも結合部を支持板２２の一端から差し込み、次いで手前側（図２の右側）のストッパ片２３を乗り越えて通過させながら他方のストッパ片２３（図２の左側）の位置までスライドさせる。同様にして次の止め金具６を順次、挿入してスライドさせ、二つのストッパ片２３，２３間の隙間が無くなった時手前のストッパ片２３を起し、二つのストッパ片２３，２３から止め金具６が抜け出ないように挟持して支える。
ストッパ２３，２３間の寸法をあらかじめ設定しておくことにより、両者の間に収納された止め金具６の数を視認させることができる。
【００１７】
上記のようにして止め金具６が収納具２１に収納された状態が図１、図３に示めされており、これを容器本体２０内に格納させることにより、止め金具６がばらばらになることなく遠隔地に搬送できる。ビニールハウスの現場に搬送された時、蓋２０ａを開き、収納具２１を引き出せば支持板２２に整列する止め金具６が引き出される。これにより一方のストッパ片２３を倒し、これを通過させながら一本一本止め金具６をからみ合うことなく取りはずし出来、止め金具６の取りはずし作業を向上できる。
【００１８】
収納具２１は一つだけ容器本体２０内に収納しても良いが、図１、図３に示すように二組収容し、止め金具６，６同士を重ね合わせることにより多数の止め金具６を一度に格納し、搬送することができる。
【００１９】
図４、図５は本発明の他の実施の形態を示し、これは図７に示す線条金具たる止め金具１６を収納するものである。
【００２０】
これは  台形状線条本体（１７）の両端部にひも結合部たる屈曲部（１８）（１８）を備えた線条の止め金具（１６）を収納する線条金具の収納装置である。
この線条金具の収納装置は、長方体状の容器本体（３０）と、容器本体（３０）内に出入自在に挿入した一つ又は複数の収納具（３１）とからなり、収納具（３１）を支持板（３２）と、支持板（３２）の上端に隔設した複数の支持溝（３３）とで構成させている。
そして、上記各支持溝（３３）内にそれぞれ複数の上記止め金具（１６）の線条本体（１７）を挿入させた状態で上記支持板（３２）を上記容器本体（３０）内に挿入させるものである。
【００２１】
支持板３２は図４に示すように、底部３４の両サイドに起立する一対の板からなるものであっても良く、単一の板体であっても良い。
【００２２】
この場合、支持板３２の各支持溝３３に止め金具１６の本体１７を差し込んで支持板３２に沿って多数の止め金具１６をからみ合わせることなく均一に整列させることができる。
【００２３】
止め金具１６を取り出す場合には蓋３０ａを開き、容器本体３０から支持板３２を引き出し、この状態で上方から一本一本各止め金具１６を指でつまみ上げれば良い。
【００２４】
更に図５に示すように、容器本体３０の上壁にミシン線３５，３５ａを切り込み、このミシン線に沿って上壁の一部３６を切り起すことにより、上方に開口部を形成させ、この開口部から止め金具１６を指で一本づつ引き上げるようにしても良い。
【００２５】
【発明の効果】
本発明によれば、次の効果が得られる。
【００２６】
(1)   各請求項の発明によれば、収納具に線条金具を一本ずつ整列させることができるので、容器本体内に線条金具を収納させた時互いにからみ合うのが防止できる。従って容器本体から線条金具を収納具を介して引き出した時一本づつスムースに指で引き出したり、引き上げることが可能となり、線条金具の取り出し作業が著しく向上する。
【００２７】
(2)    請求項１の発明によれば、二つのストッパ片間の寸法をあらかじめ設定しておくことにより、各ストッパ片間に収容されているから線条金具の数を視認でき、出荷数をスムースに確認できる。
【００２８】
(3)    請求項３の発明によれば、一つの母材から多数の収納具を分離でき、収納具を一つ一つ作成する場合に比べて加工性，経済性が向上する。
【００２９】
(4)    請求項４の発明によれば、線条金具が支持溝の数と一致するので、あらかじめ支持溝の数を設定しておくことで、出荷時の線条金具の数を視認でき、一つ一つ数をかぞえる必要がなくなる。
【図面の簡単な説明】
【図１】本発明に一実施の形態に係る収納装置の一部切欠き斜視図である。
【図２】図１の収納装置における収納具とこれに取り付けた線条金具たる止め金具の斜視図である。
【図３】図１の分解斜視図である。
【図４】他の実施の形態に係る収納装置の一部切欠き斜視図である。
【図５】図４の収納装置における容器本体の他の実施の形態を示す一部切欠き斜視図である。
【図６】止め金具の取り付け状態を示すビニールハウスの一部拡大斜視図である。
【図７】他の止め金具の取り付け状態を示すビニールハウスの一部拡大斜視図である。
【符号の説明】
７  線条本体
８  引掛部
９  屈曲部
１８  屈曲部
２０ 容器本体
２１ 収納具
２２ 支持板
２３ ストッパ片
２４ スリット
２５ ミシン線
３０ 容器本体
３１ 収納具
３２ 支持板
３３ 支持溝
【図１】
0004739555.tif 000002
【図２】
0004739555.tif 000003
【図３】
0004739555.tif 000004
【図４】
0004739555.tif 000005
【図５】
0004739555.tif 000006
【図６】
0004739555.tif 000007
【図７】
0004739555.tif 000008